(57)【要約】【課題】小型化することができるレンズ鏡筒の製造方法、レンズ鏡筒、及び、カメラを提供する。【解決手段】レンズ鏡筒の製造方法は、被写体側レンズ群の配置位置を、設計位置と、設計位置よりも被写体側の位置と、設計位置よりも像面側の位置であって被写体側の位置の調整代よりも大きい調整代をもたせた位置とに位置決め可能な位置決め手段によって、被写体側レンズ群の配置位置を設計位置に位置決めし（＃１０１）、撮影光学系を第１の焦点距離に設定し（＃１０２）、第１の焦点距離で撮影光学系の結像位置のずれを測定し（＃１０３）、撮影光学系を第２の焦点距離に設定し（＃１０４）、第２の焦点距離で撮影光学系の結像位置のずれを測定し（＃１０５）、測定値の差分を計算し（＃１０６）、位置決め手段によって、差分を減少させるように、被写体側レンズ群を調整位置に位置決めする（＃１０７）。【選択図】図３
2009128714.tif 000002
【特許請求の範囲】
【請求項１】
複数のレンズ群を有し、撮影光学系の焦点距離を第１の焦点距離及び前記第１の焦点距離とは異なる第２の焦点距離との間で変更可能なレンズ鏡筒を製造するレンズ鏡筒の製造方法であって、
前記複数のレンズ群のうち最も被写体側の被写体側レンズ群の配置位置を、設計位置と、前記設計位置よりも被写体側の位置と、前記設計位置よりも像面側の位置であって前記被写体側の位置の調整代よりも大きい調整代をもたせた位置とに位置決め可能な位置決め手段があり、
前記位置決め手段によって、前記被写体側レンズ群の配置位置を設計位置に位置決めする設計位置位置決め工程と、
前記被写体側レンズ群を設計位置に位置決めした状態で、前記撮影光学系を前記第１の焦点距離に設定する第１の撮影光学系設定工程と、
前記第１の焦点距離で、前記撮影光学系の結像位置が撮像素子の設計位置に対してどの程度ずれているかを測定する第１の測定工程と、
前記被写体側レンズ群を設計位置に位置決めした状態で、前記撮影光学系を前記第２の焦点距離に設定する第２の撮影光学系設定工程と、
前記第２の焦点距離で、前記撮影光学系の結像位置が撮像素子の設計位置に対してどの程度ずれているかを測定する第２の測定工程と、
前記第１及び第２の測定工程で測定した測定値の差分を計算する計算工程と、
前記位置決め手段によって、前記計算工程で計算した前記差分を減少させるように、前記被写体側レンズ群を調整位置に位置決めする調整位置位置決め工程と、
を備えるレンズ鏡筒の製造方法。
【請求項２】
請求項１に記載のレンズ鏡筒の製造方法において、
前記調整位置位置決め工程によって前記被写体側レンズ群を調整位置に位置決めした状態で、前記撮影光学系を前記第１の焦点距離に設定する第３の撮影光学系設定工程と、
前記第１の焦点距離で、前記撮影光学系の結像位置が撮像素子の設計位置に対してどの程度ずれているかを測定する第３の測定工程と、
前記調整位置位置決め工程によって前記被写体側レンズ群を調整位置に位置決めした状態で、前記撮影光学系を前記第２の焦点距離に設定する第４の撮影光学系設定工程と、
前記第２の焦点距離で、前記撮影光学系の結像位置が撮像素子の設計位置に対してどの程度ずれているかを測定する第４の測定工程と、
前記第３の測定工程で測定した前記第１の焦点距離での測定値に基づいて、前記撮影光学系の結像位置と撮像素子の設計位置とのずれをなくす方向に、前記被写体側レンズ群よりも像面側の像面側レンズ群を移動させる第１の像面側レンズ群移動工程と、
前記第１の像面側レンズ群移動工程で移動させた、前記第１の焦点距離における前記像面側レンズ群の移動量を記憶部に記憶させる第１の記憶工程と、
前記第４の測定工程で測定した前記第２の焦点距離での測定値に基づいて、前記撮影光学系の結像位置と撮像素子の設計位置とのずれをなくす方向に、前記像面側レンズ群を移動させる第２の像面側レンズ群移動工程と、
前記第２の像面側レンズ群移動工程で移動させた、前記第２の焦点距離における前記像面側レンズ群の移動量を記憶部に記憶させる第２の記憶工程と、
を備えるレンズ鏡筒の製造方法。
【請求項３】
請求項１に記載のレンズ鏡筒の製造方法において、
前記調整位置位置決め工程は、前記位置決め手段によって、前記被写体側レンズ群を像面側に移動させること、
を特徴とするレンズ鏡筒の製造方法。
【請求項４】
請求項２に記載のレンズ鏡筒の製造方法において、
前記第１及び第２の像面側レンズ群移動工程は、前記像面側レンズ群を被写体側に移動させること、
を特徴とするレンズ鏡筒の製造方法。
【請求項５】
請求項１から請求項４までのいずれか１項に記載のレンズ鏡筒の製造方法によって製造されたレンズ鏡筒。
【請求項６】
請求項５に記載のレンズ鏡筒と、
前記レンズ鏡筒の撮影光学系によって結像される像を撮像する撮像素子と、
を備えるカメラ。
【発明の詳細な説明】
【技術分野】
【０００１】
本発明は、レンズ鏡筒の製造方法、レンズ鏡筒、及び、カメラに関するものである。
【背景技術】
【０００２】
従来、レンズ鏡筒のバックフォーカス調整は、ズームレンズを光軸方向に移動させ、望遠端（Ｔｅｌｅ）と広角端（Ｗｉｄｅ）とで差をとった後に、フォーカスレンズで残差分を補正するものであり、このときのズームレンズの移動量は、被写体方向と像面方向とでほぼ同じであった（例えば、特許文献１参照）。
【０００３】
しかし、従来の方法では、調整するズームレンズの移動量が被写体方向と像面方向とでほぼ同じであるため、その分のストロークを確保する必要があり、レンズ鏡筒の全長が長くなってしまうという問題があった。
また、ストロークが長くなると、レンズバリアとレンズとの距離が離れるため、レンズバリアの開口部も大きくなってしまうという問題があった。
【特許文献１】特開２００３−３２９９１２号公報
【発明の開示】
【発明が解決しようとする課題】
【０００４】
本発明の課題は、小型化することができるレンズ鏡筒の製造方法、レンズ鏡筒、及び、カメラを提供することである。
【課題を解決するための手段】
【０００５】
本発明は、以下のような解決手段により前記課題を解決する。なお、理解を容易にするために、本発明の一実施形態を示す図面に対応する符号を付して説明するが、これに限定されるものではない。
請求項１の発明は、複数のレンズ群（Ｌ１，Ｌ２，Ｌ３）を有し、撮影光学系の焦点距離を第１の焦点距離及び前記第１の焦点距離とは異なる第２の焦点距離との間で変更可能なレンズ鏡筒（１）を製造するレンズ鏡筒の製造方法であって、前記複数のレンズ群（Ｌ１，Ｌ２，Ｌ３）のうち最も被写体側の被写体側レンズ群（Ｌ１）の配置位置を、設計位置と、前記設計位置よりも被写体側の位置と、前記設計位置よりも像面側の位置であって前記被写体側の位置の調整代よりも大きい調整代をもたせた位置とに位置決め可能な位置決め手段（Ｗ）があり、前記位置決め手段（Ｗ）によって、前記被写体側レンズ群（Ｌ１）の配置位置を設計位置に位置決めする設計位置位置決め工程（＃１０１）と、前記被写体側レンズ群（Ｌ１）を設計位置に位置決めした状態で、前記撮影光学系を前記第１の焦点距離に設定する第１の撮影光学系設定工程（＃１０２）と、前記第１の焦点距離で、前記撮影光学系の結像位置が撮像素子（２０）の設計位置に対してどの程度ずれているかを測定する第１の測定工程（＃１０３）と、前記被写体側レンズ群（Ｌ１）を設計位置に位置決めした状態で、前記撮影光学系を前記第２の焦点距離に設定する第２の撮影光学系設定工程（＃１０４）と、前記第２の焦点距離で、前記撮影光学系の結像位置が撮像素子（２０）の設計位置に対してどの程度ずれているかを測定する第２の測定工程（＃１０５）と、前記第１及び第２の測定工程（＃１０４，＃１０５）で測定した測定値の差分を計算する計算工程（＃１０６）と、前記位置決め手段（Ｗ）によって、前記計算工程（＃１０６）で計算した前記差分を減少させるように、前記被写体側レンズ群（Ｌ１）を調整位置に位置決めする調整位置位置決め工程（＃１０７）と、を備えるレンズ鏡筒の製造方法である。
請求項２の発明は、請求項１に記載のレンズ鏡筒の製造方法において、前記調整位置位置決め工程（＃１０７）によって前記被写体側レンズ群（Ｌ１）を調整位置に位置決めした状態で、前記撮影光学系を前記第１の焦点距離に設定する第３の撮影光学系設定工程（＃１０８）と、前記第１の焦点距離で、前記撮影光学系の結像位置が撮像素子（２０）の設計位置に対してどの程度ずれているかを測定する第３の測定工程（＃１０９）と、前記調整位置位置決め工程（＃１０７）によって前記被写体側レンズ群（Ｌ１）を調整位置に位置決めした状態で、前記撮影光学系を前記第２の焦点距離に設定する第４の撮影光学系設定工程（＃１１０）と、前記第２の焦点距離で、前記撮影光学系の結像位置が撮像素子（２０）の設計位置に対してどの程度ずれているかを測定する第４の測定工程（＃１１１）と、前記第３の測定工程（＃１０９）で測定した前記第１の焦点距離での測定値に基づいて、前記撮影光学系の結像位置と撮像素子（２０）の設計位置とのずれをなくす方向に、前記被写体側レンズ群（Ｌ１）よりも像面側の像面側レンズ群（Ｌ３）を移動させる第１の像面側レンズ群移動工程（＃１１２）と、前記第１の像面側レンズ群移動工程（＃１１２）で移動させた、前記第１の焦点距離における前記像面側レンズ群（Ｌ３）の移動量を記憶部に記憶させる第１の記憶工程（＃１１３）と、前記第４の測定工程（＃１１１）で測定した前記第２の焦点距離での測定値に基づいて、前記撮影光学系の結像位置と撮像素子（２０）の設計位置とのずれをなくす方向に、前記像面側レンズ群（Ｌ３）を移動させる第２の像面側レンズ群移動工程（＃１１４）と、前記第２の像面側レンズ群移動工程（＃１１４）で移動させた、前記第２の焦点距離における前記像面側レンズ群（Ｌ３）の移動量を記憶部に記憶させる第２の記憶工程（＃１１５）と、を備えるレンズ鏡筒の製造方法である。
請求項３の発明は、請求項１に記載のレンズ鏡筒の製造方法において、前記調整位置位置決め工程（＃１０７）は、前記位置決め手段（Ｗ）によって、前記被写体側レンズ群（Ｌ１）を像面側に移動させること、を特徴とするレンズ鏡筒の製造方法である。
請求項４の発明は、請求項２に記載のレンズ鏡筒の製造方法において、前記第１及び第２の像面側レンズ群移動工程（＃１１２，＃１１４）は、前記像面側レンズ群（Ｌ３）を被写体側に移動させること、を特徴とするレンズ鏡筒の製造方法である。
請求項５の発明は、請求項１から請求項４までのいずれか１項に記載のレンズ鏡筒の製造方法によって製造されたレンズ鏡筒（１）である。
請求項６の発明は、請求項５に記載のレンズ鏡筒（１）と、前記レンズ鏡筒（１）の撮影光学系によって結像される像を撮像する撮像素子（２０）と、を備えるカメラ（３）である。
なお、本発明をわかりやすく説明するために実施形態を示す図面の符号に対応付けて説明したが、本発明は、これに限定されるものでなく、後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明の効果】
【０００６】
本発明によれば、小型化することができるレンズ鏡筒の製造方法、レンズ鏡筒、及び、カメラを提供することができる。
【発明を実施するための最良の形態】
【０００７】
以下、図面等を参照して、本発明の実施形態をあげて、さらに詳しく説明する。
［実施形態］
図１は、実施形態のレンズ鏡筒を示す断面図である。
レンズ鏡筒１は、例えば、レンズ鏡筒一体型のデジタルカメラの沈胴式のレンズ鏡筒であり、撮影光学系の焦点距離を望遠端と広角端との間で変更可能なズーム式のレンズ鏡筒である。
レンズ鏡筒１は、撮像光学系として、第１レンズ群Ｌ１、第２レンズ群Ｌ２、第３レンズ群Ｌ３、ＬＰＦ（ローパスフィルタ）１０、撮像素子２０を備えている。なお、本実施形態では、各レンズ群は、１つのレンズから構成する例で説明するが、複数のレンズで構成してもよい。
また、レンズ鏡筒１は、第１群筒１１０、回転カム筒１２０、固定筒１３０、第３レンズ室１４０、撮像素子固定部材１５０、シャッタユニット２００、ブレ補正（ＶＲ）ユニット３００を備えている。
【０００８】
第１レンズ群Ｌ１は、最も被写体側に配置されたズームレンズ群であり、後述する第１レンズ室１１１によって光軸Ｉ方向に移動可能に支持されている。
第２レンズ群Ｌ２は、手振れ補正用のレンズ群であり、第１レンズ群Ｌ１の像面側に配置され、ブレ補正ＶＲユニット３００によって光軸Ｉと直交する方向に変位（シフト）することによって結像面における像ブレを低減するものである。
第３レンズ群Ｌ３は、フォーカスレンズ群であり、第２レンズ群Ｌ２の像面側に設けられ、第３レンズ室１４０によって光軸Ｉ方向に移動可能に支持されている。
【０００９】
ＬＰＦ１０は、第３レンズ群Ｌ３の像面側に設けられ、撮像素子２０の出力画像におけるモアレの発生等を防止する光学式のフィルタである。
撮像素子２０は、ＬＰＦ１０の像面側に配置され、例えば、ＣＣＤ（ｃｈａｒｇｅ  ｃｏｕｐｌｅｄ  ｄｅｖｉｃｅ）、ＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）等の光−電気変換素子を備え、その撮像面に、レンズ鏡筒１の撮影光学系によって結像される被写体像を撮像するものである。この撮像素子２０は、撮像素子固定部材１５０に固定されている。
【００１０】
第１群筒１１０は、レンズ鏡筒１の鏡胴を構成する部材のうち使用時（撮影時）に最も被写体側に繰り出される筒体であり、その内径側には第１レンズ室１１１が結合されており、被写体側の先端部にはレンズバリア１１２が配置されている。第１群筒１１０は、外周面部に回転カム筒１２０の内周面のカム溝に挿入される突起状のカムフォロワピンを備え、後述する直進ガイド部材１２１によって光軸方向に平行移動可能に支持されている。
【００１１】
第１レンズ室１１１は、その内径側に第１レンズ群Ｌ１が固定される枠体であり、第１群筒１１０の被写体側の先端部に固定されている。
第１レンズ室１１１は、第１群筒１１０に結合されており、後述するように、第１レンズ室１１１と第１群筒１１０との間にはワッシャーＷが入る構造になっている。
【００１２】
レンズバリア１１２は、第１群筒１１０の被写体側の先端部に配置され、レンズ鏡筒１の収納時（沈胴時）に第１レンズ群Ｌ１の被写体側の面をカバーする遮蔽部材１１３を備えている。
レンズバリア１１２は、開口部を有するケースを備え、そのケース内には、摺動シートを貼り付けた板金の間に４枚の羽根が配置され、その羽根が動く構造になっている。開口部の形状は、有効光線Ａが蹴られないようにするために、後述するバックフォーカス調整で第１レンズ群Ｌ１が最も像面側に移動したときの状態から決定している。
【００１３】
回転カム筒１２０は、固定筒１３０の内径側に挿入されるとともに、その内径側に第１群筒１１０が挿入される筒体であり、直進ガイド部材１２１を備えている。
回転カム筒１２０は、外周面部に固定筒１３０の内周面部のカム溝に挿入される突起状のカムフォロワピンを備えている。また、回転カム筒１２０は、第１群筒１１０のカムフォロワピンが挿入されるカム溝がその内周面部に形成されている。
回転カム筒１２０は、固定筒１３０に対して光軸回りに回転可能でありかつ光軸方向に移動可能に支持され、その外周面部に形成されたギア列をギア１２２によって駆動することによって、光軸方向に移動するとともに、第１群筒１１０を回転カム筒１２０に対して光軸方向に移動させるものである。
【００１４】
直進ガイド部材１２１は、回転カム筒１２０と第１群筒１１０との間に配置され、第１群筒１１０を固定筒１３０に対して光軸回りに回転しないように直進案内するものである。
ギア１２２は、回転カム筒１２０の外周面部に形成されたギア１２０ａと噛合し、ＤＣモータの動力を用いて回転カム筒１２０を回転駆動するものである。
ギア軸１２３は、ギア１２２を固定筒１３０に対して回転可能に支持するものである。
【００１５】
固定筒１３０は、カメラボディ２に固定される筒体であり、その内周面部に、回転カム筒１２０のカムフォロワピンが挿入されるカム溝が形成されている。
【００１６】
第３レンズ室１４０は、第３レンズ群Ｌ３を収容する枠体を有し、固定筒１３０に対して光軸Ｉ方向に移動可能に支持されている。
また、第３レンズ室１４０は、ナット部１４１、スクリュ１４２、ステッピングモータ１４３、ガイドバー１４４等により構成されたユニットによって、光軸Ｉ方向に移動させることができる。
ナット部１４１は、スクリュ１４２とネジ結合されるネジ部が形成されている。
スクリュ１４２は、光軸Ｉと平行に延在し、ナット部１４１のネジ部に挿入され、これが回転することによって第３レンズ室１４０を光軸方向に送るものである。
ステッピングモータ１４３は、ギアを介してスクリュ１４２に接続され、このスクリュ１４２を回転駆動するものである。
ガイドバー１４４は、第３レンズ室１４０を光軸Ｉ方向に案内するものである。
【００１７】
撮像素子固定部材１５０は、固定筒１３０の光軸Ｉ方向の像面側の端部に配置され、ＬＰＦ１０、撮像素子２０が固定されるものである。
【００１８】
シャッタユニット２００は、第２レンズ群Ｌ２と第３レンズ群Ｌ３との間に配置され、被写体光の通過を許容する開状態と、被写体光の通過を許容しない閉状態との間を移行する樹脂製の薄片を備えている。
ＶＲユニット３００は、第２レンズ群Ｌ２に連結して配置され、第２レンズ群Ｌ２を光軸Ｉと直交する方向に変位させることによって、レンズ鏡筒１の振動に起因する被写体像の像ブレを低減するものである。
【００１９】
以下、上述したレンズ鏡筒１の動作について説明する。
レンズ鏡筒１が収納状態から使用状態に変化する際には、回転カム筒１２０は、ギア１２２によって光軸Ｉ回りに回転駆動され、第１群筒１１０は、各カム機構によって光軸Ｉ方向の被写体側に繰り出される。このとき、レンズバリア１１２は、第１群筒１１０の繰り出しに連動して開かれる。
また、レンズ鏡筒１が使用状態から収納状態に変化する際には、回転カム筒１２０は、ギア１２２によって光軸Ｉ回りに逆方向に回転駆動され、第１群筒１１０は、各カム機構によって光軸Ｉ方向の像面側の所定の位置まで引き込まれる。これと連動して、レンズバリア１１２は閉じられる。
【００２０】
次に、図２〜図４を参照しながら、レンズ鏡筒１の製造方法について説明する。
図２は、第１レンズ群Ｌ１の移動状態を示す図であって、図１のＢ部分付近の拡大図であり、図３は、レンズ鏡筒１の製造方法を示す工程図であり、図４は、コリメータの測定値の一例を示す図である。
レンズ鏡筒１の製造方法は、その工程の中に、バックフォーカス調整の工程が含まれている。
バックフォーカス調整は、コリメータ等の機器を用いて行うものであり、レンズや鏡筒の部品の製造誤差によって生じる無限遠のピントのずれ、すなわち、無限遠物体に焦点合わせをしたときの、コリメータによる測定値と設計値とのずれを修正する作業である。
本実施形態においては、バックフォーカス調整は、第１レンズ群Ｌ１と第３レンズ群Ｌ３との配置位置を調整することによって行う。第１レンズ群Ｌ１の調整は、第１レンズ室１１１に挿入するワッシャーＷの厚みを変更することによって行い、第３レンズ群Ｌ３の調整は、ステッピングモータ１４３を駆動させることにより第３レンズ群Ｌ３の配置位置を変更することによって行う。
【００２１】
ここで、第１レンズ群Ｌ１の調整に用いるワッシャーＷは、厚みが異なるものが予め複数用意されており、その厚みによって、第１レンズ群Ｌ１の配置位置を、設計位置と、設計位置よりも像面側の位置とに位置決めすることができる。図２（Ａ）では、第１レンズ群Ｌ１の配置位置を、設計位置に配置するワッシャーＷ１が挿入されている。図２（Ｂ）では、ワッシャーＷ１が挿入されておらず、第１レンズ群Ｌ１の配置位置を、設計位置よりも像面側の位置に位置決めすることができる。なお、図２では、２段階の調整が可能である例を図示しているが、厚みの異なるワッシャーを多数用意して、第１レンズ群Ｌ１の配置位置を、多段階で調整するようにすることもできる。
【００２２】
図３に示すように、この状態において、まず、第１レンズ群Ｌ１の配置位置を設計位置に位置決め可能なワッシャーＷ１を用いて、第１レンズ群Ｌ１を設計位置に位置決めする（設計位置位置決め工程；＃１０１；図２（Ａ））。
ついで、第１レンズ群Ｌ１を設計位置に位置決めした状態で、回転カム筒１２０を回転させ、撮影光学系の焦点距離を望遠端に設定する（第１の撮影光学系設定工程；＃１０２）。そして、無限遠物体にピントをあわせる。
さらに、撮影光学系の焦点距離を望遠端に設定した状態で、撮影光学系の結像位置が撮像素子２０の設計位置に対してどの程度ずれているかを、コリメータで測定する（第１の測定工程；＃１０３）。
【００２３】
今度は、第１レンズ群Ｌ１を設計位置に位置決めした状態で、回転カム筒１２０を回転させ、撮影光学系の焦点距離を広角端に設定する（第２の撮影光学系設定工程；＃１０４）。
ついで、撮影光学系の焦点距離を広角端に設定した状態で、撮影光学系の結像位置が撮像素子２０の設計位置に対してどの程度ずれているかを、コリメータで測定する（第２の測定工程；＃１０５）。
【００２４】
さらに、望遠端と広角端とで測定した、コリメータの測定値の差分を計算する（計算工程；＃１０６）。
そして、上記差分を減少させるワッシャーＷによって、第１レンズ群Ｌ１を調整位置に位置決めする（調整位置位置決め工程；＃１０７）。
具体的には、望遠端と広角端とで測定した、コリメータの測定値の差分より、第１レンズ群Ｌ１の移動量を決定する。つまり、コリメータの測定値に基づいて、適切な厚みのワッシャーＷを選択し、そのワッシャーＷを挿入し、バックフォーカスが所定値となるように合わせ込む作業を行う。これは、バックフォーカス調整前の段階においては、レンズや部品の製造誤差により、バックフォーカスが被写体側にずれているか、像面側にずれているかが不明であるからである。
差分を計算して、望遠端の結像位置が広角端の結像位置より被写体側にある場合は、ワッシャーＷの厚さを変更して、第１レンズ群Ｌ１を像面側に移動させる。場合によっては、図２（Ｂ）に示すように、ワッシャーＷ１を取り外してしまうこともある。
広角端の結像位置が望遠端の結像位置より被写体側にある場合は、ワッシャーＷ１は変更しない。その代わり、後述するように、第３レンズ群Ｌ３を被写体側に移動させて調整を行う。
【００２５】
第３レンズ群Ｌ３の移動係数は、第１レンズ群Ｌ１の移動係数より小さいため、第１レンズ群Ｌ１で調整を行う場合より第３レンズ群Ｌ３で調整を行う場合の方が、調整ストロークは多く必要になる。しかし、撮影状態において、第３レンズ群Ｌ３は、被写体側に移動スペースがあり、第３レンズ群Ｌ３のストロークは、被写体方向に余裕があるので（図１参照）、問題なく調整することができる。
【００２６】
次に、第１レンズ群Ｌ１を調整位置に位置決めした状態で、撮影光学系の焦点距離を、再度、望遠端に設定する（第３の撮影光学系設定工程；＃１０８）。
ついで、撮影光学系の焦点距離を望遠端に設定した状態で、撮影光学系の結像位置が撮像素子２０の設計位置に対してどの程度ずれているかを、コリメータで測定する（第３の測定工程；＃１０９）。
今度は、第１レンズ群Ｌ１を調整位置に位置決めした状態で、撮影光学系の焦点距離を、再度、広角端に設定する（第４の撮影光学系設定工程；＃１１０）。
さらに、撮影光学系の焦点距離を広角端に設定した状態で、撮影光学系の結像位置が撮像素子２０の設計位置に対してどの程度ずれているかを、コリメータで測定する（第４の測定工程；＃１１１）。
【００２７】
なお、望遠端と広角端以外にも、望遠端と広角端との間の部分（ミドル）で同様の測定を行ってもよい。測定点は、レンズ鏡筒１の構成や求める精度によって適宜変更することができる。例えば、望遠端とミドルと広角端とで測定した場合の測定値の一例を図示すると、図４のようになる。
図４のような測定結果であれば、広角端（Ｗ）では、設計値からのずれがないので第３レンズ群Ｌ３の調整が不要であることが分かる。また、ミドル（Ｍ）では、第３レンズ群Ｌ３を少し被写体側に移動させる必要があることが分かる。さらに、望遠端（Ｔ）では、第３レンズ群Ｌ３を多めに被写体側に移動させる必要があることが分かる。
【００２８】
そして、望遠端での測定値に基づいて、被写体側に第３レンズ群Ｌ３を移動させる（第１の像面側レンズ群移動工程；＃１１２）。
また、望遠端での第３レンズ群Ｌ３の移動量をメモリ等の記憶部に記憶させる（第１の記憶工程；＃１１３）。
同様にして、広角端での測定値に基づいて、被写体側に第３レンズ群Ｌ３を移動させる（第２の像面側レンズ群移動工程；＃１１４）。
そして、広角端での第３レンズ群Ｌ３の移動量を記憶部に記憶させる（第２の記憶工程；＃１１５）。
なお、図４のような測定値であった場合は、広角端では第３レンズ群Ｌ３を移動させる必要はないが、移動量は０と記憶させておく。また、必要に応じて、ミドルでの第３レンズ群Ｌ３の移動量を記憶部に記憶させてもよく、その他の点をスプライン補完等で補うようにしてもよい。
【００２９】
このようなバックフォーカス調整により、第１レンズ群Ｌ１は、ワッシャーＷによって適切な位置に配置され、第３レンズ群Ｌ３は、記憶部に記憶された移動量によって、撮影時には適切な位置に配置されるようになる。
【００３０】
このように、本実施形態によれば、バックフォーカス調整において、第１レンズ群Ｌ１の移動は像面方向のみとし、第３レンズ群Ｌ３の移動は被写体方向のみとしているので、第１レンズ群Ｌ１を被写体側に移動させる必要はなくなり、鏡筒外形や沈胴厚を小型化することができる。
【００３１】
図５は、比較例のレンズ鏡筒を示す図である。
比較例のレンズ鏡筒１Ａは、図５（Ｂ）の位置が設計位置となっており、第１レンズ群Ｌ１を被写体側と（図５（Ａ）参照）、像面側と（図５（Ｃ）参照）の両方に移動してバックフォーカス調整を行うものである。第１レンズ群Ｌ１を設計位置に位置決めする場合は、ワッシャーＷ１を挿入し、設計位置よりも被写体側に位置決めする場合は、ワッシャーＷ１よりも厚みの厚いワッシャーＷ２を挿入し、設計位置よりも像面側に位置決めする場合は、ワッシャーＷを取り外すことによって行っている。
従って、第１レンズ群Ｌ１の調整ストロークは、図５（Ｂ）の状態から、両方向に確保する必要があるため、第１群筒１１０Ａの長さは長くなり沈胴厚も厚くなる。また、有効光線Ａが蹴られてしまわないようにするために、図５（Ｃ）の状態の第１レンズ群Ｌ１が最も像面側に移動したときの状態を想定して、レンズバリア１１２の開口部を設計する必要があり、鏡筒外形も大きくなってしまう。
また、第３レンズ群Ｌ３は、上述した実施形態のレンズ鏡筒１ほど、被写体方向に移動させる必要はなくなるものの、その部分には構造物は配置されていないのでデットスペースとなる。
これに対して、実施形態のレンズ鏡筒１は、鏡筒全長や鏡筒外形を小型化することができ、第３レンズ群Ｌ３の被写体側の空間も有効利用することができる。
【００３２】
［変形形態］
本発明は、以上説明した実施形態に限定されることなく、種々の変形や変更が可能であって、それらも本発明の範囲内である。
（１）上述した実施形態では、バックフォーカス調整において、第１レンズ群Ｌ１の移動は像面方向のみとし、第３レンズ群Ｌ３の移動は被写体方向のみとする例で説明したが、第１レンズ群Ｌ１の調整代が被写体側よりも像面側のほうが大きければ、第１レンズ群Ｌ１を被写体側に移動させてもよい。
この場合は、第１レンズ群Ｌ１の配置位置を、設計位置と、設計位置よりも被写体側の位置と、設計位置よりも像面側の位置であって被写体側の位置の調整代よりも大きい調整代をもたせた位置とに位置決め可能な複数のワッシャーを用意する。
このようにしても、第１レンズ群Ｌ１の調整領域は、被写体側よりも像面側の方が大きいので、第１レンズ群Ｌ１を最も被写体側に調整した位置でレンズ鏡筒を設計しても、鏡筒外形や沈胴厚を小型化することができる。
【００３３】
（２）上述した実施形態では、第１レンズ群Ｌ１の配置位置の調整は、ワッシャーＷの厚みによって調整する例で説明したが、第１レンズ室１１１に通じる専用のネジ等を第１群筒１１０に設け、そのネジで第１レンズ群Ｌ１の配置位置を調整するようにしてもよい。
【００３４】
（３）上述した実施形態では、デジタルカメラのレンズ鏡筒の例で説明したが、本発明はこれに限らず、ビデオカメラ（ムービーカメラ）や交換レンズにも適用することができる。また、例えば、携帯電話機や携帯情報端末等に組み込まれるレンズ鏡筒、カメラにも適用することをできる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００３５】
【図１】実施形態のレンズ鏡筒を示す断面図である。
【図２】第１レンズ群Ｌ１の移動状態を示す図である。
【図３】レンズ鏡筒１の製造方法を示す工程図である。
【図４】コリメータの測定値の一例を示す図である。
【図５】比較例のレンズ鏡筒を示す図である。
【符号の説明】
【００３６】
１：レンズ鏡筒、２：カメラボディ、２０：撮像素子、Ｌ１：第１レンズ群、Ｌ２：第２レンズ群、Ｌ３：第３レンズ群、Ｗ：ワッシャー
【図１】
2009128714.tif 000003
【図２】
2009128714.tif 000004
【図３】
2009128714.tif 000005
【図４】
2009128714.tif 000006
【図５】
2009128714.tif 000007